(57)【要約】【課題】管理された情報の確認を容易化する。【解決手段】入力手段により指し示された情報の種類を判定する判定手段と、前記判定手段により判定された情報の種類に応じて、前記指し示された情報に関する説明情報を提示する情報提示部の表示形態を制御する表示制御手段とを備え、前記説明情報は、前記入力手段により指し示された情報がフォルダ内の画像であった場合には当該画像に関する説明情報を含み、前記入力手段がフォルダ内の画像以外を指し示している場合には当該フォルダに関する説明情報を含む。【選択図】      図１
2006040132.tif 000002
【特許請求の範囲】
【請求項１】
入力手段により指し示された情報の種類を判定する判定手段と、
前記判定手段により判定された情報の種類に応じて、前記指し示された情報に関する説明情報を提示する情報提示部の表示形態を制御する表示制御手段とを具備することを特徴とする情報管理装置。
【請求項２】
前記説明情報は、前記入力手段により指し示された情報がフォルダ内の画像の場合には当該画像に関する説明情報を含み、前記入力手段がフォルダ内の画像以外を指し示している場合には当該フォルダに関する説明情報を含むことを特徴とする請求項１に記載の情報管理装置。
【請求項３】
前記制御手段は、前記情報提示部に含まれる画像の表示形態を変更する変更手段を備え、前記入力手段により指し示された画像の大きさに応じて前記説明情報を表示若しくは非表示とすることを特徴とする請求項１又は２に記載の情報管理装置。
【請求項４】
画像のサムネイルを一覧表示する一覧表示手段を更に備え、
前記表示制御手段は、前記入力手段がサムネイルを指し示している場合には当該画像を含む第１の形態の説明情報を表示し、サムネイル以外を指し示している場合には当該第１の形態とは異なる第２の形態の画像を含む説明情報を表示することを特徴とする請求項１乃至４のいずれか１項に記載の情報管理装置。
【請求項５】
前記説明情報に含まれる画像は、画像若しくは装置が持っているサムネイルの最大サイズで表示することを特徴とする請求項４に記載の情報管理装置。
【請求項６】
前記フォルダに関する説明情報を表示する場合、そのフォルダ内にある代表画像を所定枚表示することを特徴とする請求項４に記載の情報管理装置。
【請求項７】
前記説明情報の表示位置は、前記入力手段の指し示す位置を基準にして設定されることを特徴とする請求項１乃至６のいずれか１項に記載の情報管理装置。
【請求項８】
前記説明情報の表示内容は、前記入力手段の指し示す位置に基づいて設定されることを特徴とする請求項１乃至６のいずれか１項に記載の情報管理装置。
【請求項９】
表示されているサムネイルが、前記画像若しくは装置が持っているサムネイルの最大サイズより大きい場合、当該最大サイズのサムネイルを用いずに、より大きな表示用画像をオリジナル画像から再作成して情報提示部に表示する第１の表示モードを有することを特徴とする請求項４乃至８のいずれか１項に記載の情報管理装置。
【請求項１０】
表示されているサムネイルが、前記画像若しくは装置が持っているサムネイルの最大サイズより大きい場合、テキスト情報のみを情報提示部に表示する第２の表示モードを有することを特徴とする請求項４乃至８のいずれか１項に記載の情報管理装置。
【請求項１１】
表示されているサムネイルが、前記画像若しくは装置が持っているサムネイルの最大サイズより大きい場合、前記説明情報を非表示とする第３の表示モードを有することを特徴とする請求項４乃至８のいずれか１項に記載の情報管理装置。
【請求項１２】
表示されているサムネイルが、前記画像若しくは装置が持っているサムネイルの最大サイズより大きい場合、当該最大サイズのサムネイルを用いずに、より大きな表示用画像をオリジナル画像から再作成して情報提示部に表示する第１の表示モードと、
表示されているサムネイルが、前記画像若しくは装置が持っているサムネイルの最大サイズより大きい場合、テキスト情報のみを説明情報として表示する第２の表示モードと、
表示されているサムネイルが、前記画像若しくは装置が持っているサムネイルの最大サイズより大きい場合、前記説明情報を非表示とする第３の表示モードとを有し、
前記第１乃至第３の表示モードを任意に切り替え可能としたことを特徴とする請求項４乃至８のいずれか１項に記載の情報管理装置。
【請求項１３】
前記情報提示部に動画を表示する場合、前記表示制御手段は、当該情報提示部に当該動画のための操作部を表示することを特徴とする請求項１乃至１２のいずれか１項に記載の情報管理装置。
【請求項１４】
前記情報提示部に回転情報を有する画像を表示する場合、前記表示制御手段は、当該情報提示部に当該回転情報を反映した画像を表示することを特徴とする請求項１乃至１２のいずれか１項に記載の情報管理装置。
【請求項１５】
前記情報提示部は、所定の操作を行ったときのみ表示されることを特徴とする請求項１乃至１４のいずれか１項に記載の情報管理装置。
【請求項１６】
前記所定の操作を任意に切り替え可能としたことを特徴とする請求項１５に記載の情報管理装置。
【請求項１７】
入力手段により指し示された情報に関する説明情報を表示する情報提示方法であって、
前記入力手段により指し示された情報の種類を判定する判定工程と、
前記判定工程により判定された情報の種類に応じて、前記指し示された情報に関する説明情報を提示する情報提示部の表示形態を制御する表示制御工程とを備えることを特徴とする情報提示方法。
【請求項１８】
請求項１７に記載の情報提示方法をコンピュータに実行させるためのプログラム。
【発明の詳細な説明】
【技術分野】
【０００１】
本発明は、フォルダやファイル等の情報管理を容易化する技術に関する。
【背景技術】
【０００２】
近年、デジタルカメラの普及やインターネットのブロードバンド化に伴い、ユーザはデジタルカメラや、友人からのE-Mailに添付された画像や、ホームページからの静止画や動画のダウンロードなど、手軽に大量の画像を入手できるようになった。そのため、ユーザは大量の画像を管理する必要が生じている。
【０００３】
図１０は、従来のシステムによる情報管理画面の表示例を示し、１０１のツリービュー内のフォルダを指定することで、そのフォルダ内にあるファイルのサムネイルを表示することができる。１０２は表示モードを切り替えることのできるプルダウンメニューで、１０３はサムネイルの表示サイズを切り替えることのできるスライドバーである。画像管理ソフトウェアは画像ファイル内や別ファイルにサムネイル画像があれば表示にはそれを用い、なければオリジナル画像からサムネイルを作成し、そのサムネイルをブラウザウインドウ（以下、ＢＷ）である１０４内に一覧表示する。１０５は、標準的に実装されているアプリケーションのウィンドウ表示をコントロールするボタンである（左から「最小化」、「最大化」、「閉じる」）。
【０００４】
図１０のように、そのフォルダ内に大量の画像が存在する場合、ＢＷ１０４の横にスクロールバー１０６が表示される。ユーザはＢＷ１０４の一画面に表示しきれずに確認できない画像についてスクロールバーで画面をスクロールして画像を確認しなければならない。この時、ユーザにできるだけ多くの画像を見せることを重視して、固定サイズでサムネイルの画像を表示するのではなく、図１１又は図１２のように表示画像を同倍率でそれぞれ縮小して表示する場合がある。この縮小表示の操作により、ユーザは一度に確認できる画像枚数が増えるメリットを享受できる。この縮小表示を行う時は、２０３のような表示サイズを調整するスライドバーを用いて、図１１の縮小した表示サイズとなるようにユーザが手動で行うケースもあるし、３０２で表示モードを切り替えることによって図１２のようにソフトウェアが可能な限り多くの画像を表示できるように自動的に縮小して表示することで実現する。
【特許文献１】特開２００３−１０８９７６号公報
【発明の開示】
【発明が解決しようとする課題】
【０００５】
上記のように画像サイズを縮小して表示することで一度に多くの画像を確認することができ、一覧性は向上するが、表示画像がある一定のサイズ以下になると、どのような画像か確認することが難しくなる問題が指摘されている。そして、従来の手法による対処方法としてユーザは２つの手段を選ぶことができる。即ち、「手動で拡大/自動縮小機能を解除する」か「オリジナルの画像を確認できるViewerを開く」かの２つである。
【０００６】
上記「手動で拡大/自動縮小機能を解除する」方法は、図１１又は図１２の表示を図１０に戻す処理となる。これにより個々の画像のサイズが大きくなり、画像の確認のしやすさは向上するが、拡大することにより今まで見ていた画像配列が崩れてしまう。図１１から図１０に切り替えた場合を考えると容易に分かる。この方法は、単数又は少数の画像を確認したい場合には良いが、複数の画像を確認したい場合には、今まで確認していた配列が崩れてしまっているため、再度確認したい画像を探す手間が生じてしまう。前述の例では、確認画像が多ければ多いほど探す範囲が大きくなってしまい、ユーザの負担も大きい。また一覧性のメリットを放棄してしまっている。
【０００７】
これに対して、上記「オリジナルの画像を確認できるViewerを開く」方法は、確実にオリジナル画像を確認できるというメリットがある一方、図１３のように同一ウィンドウが切り替わる場合でも、図１４のようにViewerが別ウィンドウで開く場合でも、確認後画面表示を４０２でViewerモードから元のモードに切り替えたり、確認後オリジナル画像を表示している別ウィンウ５０６を閉じたり、或いはウィンドウを切り替えたりと、簡単に画像を確認したいユーザに対しては、余計な手間がかかってしまう。また、Viewerで表示する際はサムネイルより表示処理時間がかかるオリジナル画像を表示する処理時間を待たなければならないというデメリットもある。
【０００８】
本発明は、上記問題点を解決するためになされ、フォルダやファイルの管理を容易化する技術の提供を目的としている。
【課題を解決するための手段】
【０００９】
上記問題点を解決するために、本発明の情報管理装置は、入力手段により指し示された情報の種類を判定する判定手段と、前記判定手段により判定された情報の種類に応じて、前記指し示された情報に関する説明情報を提示する情報提示部の表示形態を制御する表示制御手段とを具備する。
【００１０】
また、本発明の情報提示方法は、入力手段により指し示された情報に関する説明情報を表示する情報提示方法であって、前記入力手段により指し示された情報の種類を判定する判定工程と、前記判定工程により判定された情報の種類に応じて、前記指し示された情報に関する説明情報を表示する情報提示部の表示形態を制御する表示制御工程とを備える。
【００１１】
具体的には、図１５に示すように、ブラウザウィンドウ上の画像の一覧性を重視してサムネイルを縮小して表示しているブラウザウィンドウ上にマウスオーバーした時、ブラウザウィンドウ上で表示しているサイズより大きい画像を表示することのできる画像表示機能付きの情報提示部（情報ツールチップ）を表示する。
【００１２】
これにより、一覧性を維持しつつ、ユーザが確認したい画像にマウスを当てるだけで、確認しづらくなっていた画像の確認を容易に行うことができる。
【００１３】
なお、情報ツールチップは、マウスをある一定区間動かすことにより閉じられる。このようにすることで、通常のウィンドウのように「メニューから閉じる」や「閉じるボタンをクリックする」等の操作を行う必要がなくなり、Viewerで画像の確認を行うよりもユーザの負担が軽減できる。
【発明の効果】
【００１４】
以上説明したように、本発明によれば、ユーザは表示モードや、全体の拡大率を変えることなく、手軽に情報を確認できるようになる。
【００１５】
例えば、ブラウザウィンドウ上で、サムネイルの下にサムネイルの横のサイズに合わせてファイル名等のテキスト情報を表示する際に、サムネイルサイズを小さくしたために、全ての情報が表示しきれない場合でも、情報ツールチップ上でそれらの情報を確認できるという効果がある。
【発明を実施するための最良の形態】
【００１６】
以下に、添付図面を参照して本発明を実施するための最良の形態について詳細に説明する。
【００１７】
尚、以下に説明する実施形態は、本発明の実現手段としての一例であり、本発明が適用される装置の構成や各種条件によって適宜修正又は変更されるべきものであり、本発明は以下の実施形態に限定されるものではない。
【００１８】
また、本発明は、後述する実施形態の情報ツールチップの表示制御機能を実現するソフトウェアのプログラムコードを記憶した記憶媒体（または記録媒体）を、システムあるいは装置に供給し、そのシステムあるいは装置のコンピュータ（またはCPUやMPU）が記憶媒体に格納されたプログラムコードを読み出し実行することによっても、達成されることは言うまでもない。
［システム構成］
図１は本発明の情報管理装置を実現しうるプラットフォームであるコンピュータシステムの構成例を示している。図１において、７０１はパーソナルコンピュータ（ＰＣ）本体、７０２はデータを表示するディスプレイ、７０３は代表的なポインティングデバイスであるマウス、７０４はキーボードである。
【００１９】
図２は本発明に係る実施形態のソフトウェアとハードウェアを含む情報管理装置の全体構成を示す図である。
【００２０】
図２において、８０１はハードウェアであり、８０２はハードウェア８０１上で動作するオペレーティングシステム（ＯＳ）であり、８０３はＯＳ８０２の上で動作するアプリケーションソフトウェアである。なお、ハードウェア８０１とＯＳ８０２を構成するブロックのうち構成要件として当然含まれるが本発明の実施の形態を説明する上で直接必要としていない機能ブロックについては図示を省略している。不図示のブロック例として、ハードウェアではＣＰＵ、メモリ、ＯＳとしてメモリ管理システム等が挙げられる。
【００２１】
図２において、８０７はファイルやデータを物理的に格納するハードディスク、８１４はＯＳを構成するファイルシステムでありアプリケーションソフトウェアがハードウェアを意識せずにファイルの入出力が行えるようにする機能がある。８１１はファイルシステム８１４がハードディスク８０７の読み書きを行うためのディスクＩＯインターフェースである。８１３はＯＳを構成する描画管理システムでありアプリケーションソフトウェアがハードウェアを意識せずに描画が行えるようにする機能がある。８１０は描画システム８１３がディスプレイ７０２に描画を行う為のビデオインターフェースである。８１２はＯＳを構成する入力デバイス管理システムであり、アプリケーションソフトウェアがハードウェアを意識せずにユーザの入力を受け取ることができるようにする機能がある。８０８は入力デバイス管理システム８１２がキーボード７０４の入力を受け取るためのキーボードインターフェース、マウスインターフェース８０９は入力デバイス管理システム８１２がマウス７０３から入力を受け取ることができるようにするためのマウスインターフェースとなる。
【００２２】
ここで、本発明による効果が最も大きい図３の表示処理を例に、本実施形態を説明する。なお、本発明は、図１１及び図１２の一覧表示処理にも十分にメリットがあることは言うまでもない。
【００２３】
図３において、９０１のツリービュー内のフォルダを指定することで、そのフォルダ内にあるファイルのサムネイルを表示することができる。図１１や図１２の表示処理との相違点は、指定フォルダ以下のファイルを素通しで表示することにある。図１１や図１２の表示処理では、指定フォルダ内のファイルしか閲覧できなかったが、図３の素通しによる表示処理によればサブフォルダ内のファイルも閲覧することができる。
【００２４】
具体的には、図３において、枠に囲まれていない９０４のファイル群は指定フォルダ内にあるファイルである。９０５は指定フォルダ以下にあるサブフォルダを示す枠を表示している。枠に囲まれているファイル群は、９０１で指定しているフォルダの１階層下にあるフォルダ内の画像ファイルを表示している。同様に、９０７は１階層下のフォルダ内の更に１階層下のフォルダを示す枠を表示している。結果的に、９０７の枠の中に表示されているファイルは、９０１で指定しているフォルダの２階層下のファイルとなる。このような表示の繰り返しにより、指定フォルダ以下のファイルを素通しで表示する処理を実現している。
【００２５】
この表示処理の最大のメリットは、指定フォルダ以下の全てのファイルを見ることができる点にある。その反面、一つのフォルダに大量の画像がある場合や、数階層下のフォルダ内にあるファイルは、フォルダ９０７内にあるファイルのように非常に小さく表示されるというデメリットも持ち合わせている。
【００２６】
そこで、本実施形態では、ブラウザウィンドウ上に表示しているファイル／フォルダ上で特定の操作を行うことで、画像のサムネイル付きの情報ツールチップ（説明情報表示部）を表示する。
【００２７】
画像ファイルの情報を表示する場合は、９０６のようにその画像のサムネイルと画像独自の情報（例えば、ファイル名、ファイルサイズ、ファイル更新日時等）を表示する。また、画像ファイルに撮影情報等、更に詳しい情報が保持されているならば、それらの情報も同時に表示するようにしても良い。
【００２８】
フォルダの情報を表示する場合は、図７に例示するように、そのフォルダ内にある代表画像を最大Ｎ枚表示する。図７ではＮ＝４に定義されている。１３０６はフォルダ情報を表示する時の情報ツールチップで、代表画像４枚と共に、そのフォルダに関する情報も同時に表示している。例えば、フォルダ名や、そのフォルダのサイズ、フォルダ内にある画像の総数等である。フォルダ内に３枚以下の画像しかない場合は、空白を入れて表示するようにする。
【００２９】
ＢＷでサムネイルの表示を行う場合、「回転情報を反映して表示する」ケースと、「回転情報を無視して表示する」という２つのケースが存在する。前者のケースでは、撮影時の状態を正確に表示できるというメリットがある反面、回転を行い表示を行うため、サムネイル表示速度が遅くなるというデメリットもある。回転しなければならない画像がフォルダ内に多い場合、顕著にそのデメリットが現れる。そのため、ＢＷ表示時はサムネイル表示速度を重要視して、後者のケースで表示を行う場合がある。後者でサムネイル表示を行った時に、回転後のサムネイルの状態の確認を行いたい場合に、ツールチップ上のサムネイルは回転情報を反映して表示を行えば、回転操作を行う事なく容易に回転後の状態を確認することができる。
【００３０】
ここで、本実施形態において用いる「情報ツールチップ」と「特定の操作」の定義について説明する。
【００３１】
本明細書においては、ツールチップとは、マウスカーソルをツールバーのボタンの上に持ってきたときに、自動的にその内容を表示する機能をいう。
【００３２】
現在、ツールチップはアプリケーション上で、テキストでの説明補助機能としてよく利用されている。例えば、アプリケーションのボタンの上にマウスオーバーすると、そのボタンの機能の説明を表示したり、またはファイルの上でマウスオーバーを行うと、ファイルの種類や更新日時等をテキストで表示を行う。
【００３３】
これに対して、本発明に係るツールチップは、上記テキストでの説明に加えて画像のサムネイルの表示を行う機能を有する。また、フォルダ/静止画/動画それぞれにマウスオーバーした時に、それぞれに適した表示を行う特徴的な機能を持つ。
【００３４】
更に、ブラウザウィンドウ上でのサムネイル表示の大きさによって、ツールチップのサムネイルの表示／非表示（ＯＮ／ＯＦＦ）、若しくはツールチップで表示するサムネイルの再生成を行う特徴的な機能を持つ。
【００３５】
以下では、従来から使用されているツールチップと、本発明に係るツールチップとを区別するために、本実施形態のツールチップを特に「情報ツールチップ（情報提示部）」と呼ぶこととする。
【００３６】
すなわち、本実施形態では、図３で説明した９０６のような情報ツールチップに、マウスの位置に応じたファイル/フォルダのサムネイルと、９０８のようにそれらが保持する情報を表示する。情報ツールチップは通常のウィンドウと異なり、９０３のような最小化、最大化、閉じるボタン等の機能は実装していない。情報ツールチップを閉じる操作は、情報ツールチップを表示する方法に対応した、ある特定の操作（例えば、マウスオーバー時に表示する場合は、ある一定区間マウスを動かす動作や、特定キーを押して情報ツールチップを表示する場合は、その特定キーを再度押すことや離す動作）により行う。
【００３７】
情報ツールチップの表示サイズは、当該ツールチップ内に表示する画像のサムネイルサイズやテキスト情報に依存する。情報ツールチップの表示位置は、通常のウィンドウと異なり、マウスポインタに依存し、例えばマウスポインタが指し示す位置の右下にツールチップの左上が位置するように表示する。ただし、情報ツールチップがディスプレイからはみ出してしまう場合、ツールチップが全て表示され、なおかつツールチップの外枠がマウスポインタの指し示す位置の上になる条件を満たす位置に表示する。
【００３８】
特定の操作は、マウス操作（マウスオーバー、クリック、ドラッグ）やキーボード操作に対応し、本実施形態ではマウスオーバー時に情報ツールチップを表示する。しかし、マウスオーバー時に表示する場合には、表示が必要ない場合にまで表示してしまうので、ドラッグ中にのみツールチップを表示する方法や、マウスオーバー時にShiftキーを押している間だけツールチップを表示する方法等も本発明に含まれることとする。
【００３９】
図４は本実施形態の情報ツールチップの表示処理を示すフローチャートである。
【００４０】
図４において、マウスオーバーイベントが発生したら、マウスポインタが指し示しているものをS1001で判定する。それがファイルの場合、S1002に進み、そのファイルが静止画か動画かの判定を行う。静止画である場合、そのファイルがサムネイルを持っているかどうかの判定処理をS1003で行う。サムネイルを持っていない場合には、S1008に進み、オリジナルの画像データからサムネイルを作成し、次回表示に使用するため、別ファイルに保存するか、オリジナルファイルに埋め込む処理を行う。その後、S1004で表示に必要なファイル情報を取得し、S1005で情報ツールチップ（図３の９０６）を表示する。S1002で動画と判定した場合には、S1007で図９に例示する動画操作用コントローラを有する情報ツールチップを表示する。
【００４１】
また、S1001でフォルダと判定した場合には、S1009でそのフォルダの情報を取得後、S1005の処理に進む。S1005では、そのフォルダ内にある所定枚数の代表画像のサムネイルを同時に取得して、それらをフォルダ用サムネイルとして表示する。この処理により、ユーザはフォルダ内にどのような画像が入っているか把握しやすくなる。
【００４２】
S1006で終了イベントが発生したら、ツールチップの表示処理を終了する。本実施形態での終了イベントは、マウスオーバーが終了したときとなる。もちろん、この終了イベントは、開始イベントによって異なる動作となる。
【００４３】
次に、図６のフローチャートを参照して、S1009のフォルダ内の情報取得時の処理について説明する。
【００４４】
図６において、フォルダ領域にマウスオーバーイベントが発生したら、S1201で表示モードを確認し、素通しの表示モードでない場合には、S1205で設定に従った数の代表画像の取得や、フォルダサイズ等の情報を取得する。その情報を用いて、図７の１３０６のようにS1005でフォルダ用の画像情報ツールチップの表示を行う。S1201で素通しの表示モードに設定されていた場合、S1202でフォルダ内のマウスポインタの位置情報を取得する。S1202でマウスポインタがフォルダ内のファイルを指し示している場合、S1204でそのファイルの情報を取得（図４のS1004の処理と同様）し、図４のS1005で図３の９０８のように画像ファイル用の情報ツールチップの表示を行う。また、マウスポインタがフォルダ内でファイル以外の領域を指し示していた場合、S1205でフォルダの情報を取得し、図４のS1005で図８の１４０６のようにフォルダ用の情報ツールチップの表示を行う。
【００４５】
なお、図７に示す１３０１から１３０４は、図１５の５０１から５０４に対応した機能であり、図８に示す１３０１から１３０４は、図３の９０１から９０４に対応した機能である。
【００４６】
情報ツールチップで画像のサムネイルを表示する場合、情報ツールチップの表示サムネイルサイズよりブラウザウィンドウ（ＢＷ）の表示サイズが大きい場合が存在する。この時、ＢＷ上のサムネイルより小さい画像を表示しても無意味なため、画像情報のみを表示する処理を行う。
【００４７】
また、別の方法として、ＢＷ上のサイズでは満足できないため意図的に情報ツールチップを表示したいユーザもいる可能性があるので、ＢＷ上の表示サイズが情報ツールチップ上で表示するサムネイルサイズよりも大きい場合には、オリジナル画像からサムネイルを作り直してＢＷの表示サイズより一回り大きいサムネイルを表示する。この処理により、単純にサムネイル画像を拡大するよりも、より高画質な画像で確認を行える。この場合、作成したサムネイルは、別ファイルに保存して、次回以降の表示時に利用して高速に表示できるようにする。
【００４８】
また、上記２つのケースをオプション等でユーザが任意のタイミングで切り替え可能にすることで、ユーザがいずれかのモードを任意に選択することができ、使い勝手が向上する。
【００４９】
図５は、上述したブラウザウィンドウ上の表示サイズに応じた情報ツールチップの表示処理を示すフローチャートである。
【００５０】
図５において、S1101では、ブラウザウィンドウ上でマウスオーバーしている画像のサムネイルサイズを取得する。S1102でツールチップに表示予定のサムネイルサイズとS1101で取得したサムネイルサイズの比較処理を行う。ブラウザウィンドウに表示している画像がツールチップに表示する画像よりも小さかった場合には、S1104に進み、サムネイル付き情報ツールチップの表示を行う。S1103でブラウザウィンドウに表示しているサムネイルの方が大きかった場合、S1106でサムネイル付き情報ツールチップの表示機能のＯＮ／ＯＦＦを確認する。サムネイル付き情報ツールチップを表示しないＯＦＦ設定であれば、S1108のサムネイル表示なし（画像情報のみ）の情報ツールチップを表示する。S1106で表示するＯＮ設定であれば、S1107でオリジナル画像からブラウザウィンドウ上で表示しているサムネイルよりも更に大きいサムネイル画像を生成し、そのファイルを別ファイルまたはオリジナルファイルに埋め込み処理を行う。この処理は次回表示時に高速に表示するための処理となる。この処理の終了後、生成した画像を使ってS1104でサムネイル付き情報ツールチップを表示する。
【図面の簡単な説明】
【００５１】
【図１】本発明の情報管理装置を実現しうるプラットフォームであるコンピュータシステムの構成例を示す図である。
【図２】本発明に係る実施形態のソフトウェアとハードウェアを含む情報管理装置の全体構成を示す図である。
【図３】フォルダ内の情報を素通しで表示した場合における情報ツールチップの表示例を示す図である。
【図４】本実施形態の情報ツールチップの表示処理を示すフローチャートである。
【図５】ブラウザウィンドウ上の表示サイズに応じた情報ツールチップの表示処理を示すフローチャートである。
【図６】図４のS1009でのフォルダ内の情報取得時の処理を示すフローチャートである。
【図７】フォルダ内の情報を情報ツールチップで表示した例を示す図である。
【図８】フォルダ内の情報を素通しで表示した場合における情報ツールチップの表示例を示す図である。
【図９】動画操作用コントローラを有する情報ツールチップの表示例を示す図である。
【図１０】従来の情報管理装置による情報の表示例を示す図である。
【図１１】手動で表示サイズを縮小した場合の情報の表示例を示す図である。
【図１２】一覧表示モードにより情報を自動的に縮小して表示した場合の表示例を示す図である。
【図１３】Viewerモードで画像を確認するための表示例を示す図である。
【図１４】Viewerを別のウィンドウで開いた場合の表示例を示す図である。
【図１５】本発明に係る情報ツールチップの表示例を示す図である。
【図１】
2006040132.tif 000003
【図２】
2006040132.tif 000004
【図３】
2006040132.tif 000005
【図４】
2006040132.tif 000006
【図５】
2006040132.tif 000007
【図６】
2006040132.tif 000008
【図７】
2006040132.tif 000009
【図８】
2006040132.tif 000010
【図９】
2006040132.tif 000011
【図１０】
2006040132.tif 000012
【図１１】
2006040132.tif 000013
【図１２】
2006040132.tif 000014
【図１３】
2006040132.tif 000015
【図１４】
2006040132.tif 000016
【図１５】
2006040132.tif 000017